(57)【要約】  相互にヒンジ連結した上側シェル（１２）及び下側シェル（１４）を有するケースを含むアクティビティセンターが提供される。上側シェル（１２）の上面には、上側シェルのこの上面にヒンジ連結した描画面（４０）を受ける凹部が配置される。凹部は、上面と描画面との間に関連するマークやロゴを含む紙類又はテンプレートを受けるようになっており、描画面と、紙片又はテンプレート上の関連するマークやロゴは描画面を通して少なくとも部分的に見ることができる。
2009502550.tif 000002
【特許請求の範囲】
【請求項１】
アクティビティセンターであって、
上側部分及び下側部分を各一方の縁部位置でヒンジを介して連結することにより形成したケースと、
上側部分とヒンジを介して係合する描画面と、
上側部分の上面に配置した凹部と、
上側部分に設けた少なくとも１つの筆記具固定用のウェルと、
を含むアクティビティセンター。
【請求項２】
ウェルを、ケースの上側部分の凹部に隣り合って配置した請求項１のアクティビティセンター。
【請求項３】
ウェルを選択的に覆うためのウェルカバーをケースの上側部分にヒンジを介して連結した請求項１のアクティビティセンター。
【請求項４】
ウェル用のウェルカバーを透明とした請求項３のアクティビティセンター。
【請求項５】
ウェル用のウェルカバーを一体ヒンジを介して上側部分に連結した請求項３のアクティビティセンター。
【請求項６】
ウェル用のウェルカバーが、該ウェルカバーの裏側から伸延する、筆記具をしっかりと受けるようになっている複数のリブを含む請求項３のアクティビティセンター。
【請求項７】
複数のリブが、両方向における筆記具を受ける請求項６のアクティビティセンター。
【請求項８】
描画面が、該描画面がウェルへのアクセスに干渉しない角度位置への偏倚を制限するストッパを有する請求項３のアクティビティセンター。
【請求項９】
ウェルが、その内面から伸延する複数のリブを含み、各リブが筆記具を取り付ける形態を有する請求項３のアクティビティセンター。
【請求項１０】
凹部が、テンプレートを受けるようになっている全体に平坦な底面を有する請求項１のアクティビティセンター。
【請求項１１】
関連するマークあるいはロゴ等を有するテンプレートを凹部に有し、該関連するマークあるいはロゴ等が描画面を通して見える請求項１０のアクティビティセンター。
【請求項１２】
凹部の底面に角度を付けた請求項１０のアクティビティセンター。
【請求項１３】
凹部の底面から底部の後縁部に近い位置までの距離が、該底部の前縁部に近い位置までの距離よりも長い請求項１２のアクティビティセンター。
【請求項１４】
各上側部分及び各下側部分が、外側に伸延するフランジを含む請求項１のアクティビティセンター。
【請求項１５】
各フランジが平行であり且つ各フランジの一方の縁部に沿って相互に隣り合う請求項１４のアクティビティセンター。
【請求項１６】
描画面が透明である請求項１のアクティビティセンター。
【請求項１７】
描画面が半透明である請求項１のアクティビティセンター。
【請求項１８】
描画面が色付けされる請求項１のアクティビティセンター。
【請求項１９】
上側部分が、上側部分と下側部分との間に画定される収納用空間に向けて内側に伸延する可撓性の複数の舌部を含む請求項１のアクティビティセンター。
【請求項２０】
アクティビティセンターであって、
底部パネルを有する下側シェルを含むケースと、
下側シェルにヒンジを介して取り付けられ、該下側シェルと共に収納用画室を画定する上側シェルと、
上側シェルの、下側シェルとは反対側の側部に設けられ、その上部にテンプレートを受けるようになっている取り付け用表面と、
ケースにヒンジを介して取り付けた描画面と、
を含むアクティビティセンター。
【請求項２１】
関連するマークあるいはロゴ等を有するテンプレートを取り付け用表面上に受け、該関連するマークあるいはロゴ等が描画面を通して少なくとも部分的に見える請求項２０のアクティビティセンター。
【請求項２２】
ケースの上側シェル上に筆記具固定用のウェルを少なくとも１つ設け、該ウェルが、描画面を上側シェルの取り付け用表面を覆う閉じた位置とした時にアクセス可能である請求項２０のアクティビティセンター。
【請求項２３】
ウェルと関連するウェルカバーを更に含む請求項２２のアクティビティセンター。
【発明の詳細な説明】
【技術分野】
【０００１】
本発明は、ラップトップ型のアクティビティセンター、特には消去可能な描画面を有するラップトップ型のアクティビティセンターに関する。
【背景技術】
【０００２】
子供用のアートアクティビティーを含むコンパクトなアクティビティセンターが斯界に知られている。大抵のアクティビティセンターシステムは、多彩なアートアクティビティーを含み、そのパーツやピースの数も非常に多い。また、アートワーク後に大量のゴミ屑が生じたり、周りのカーペット、テーブルトップその他の表面を汚したり、そうでなければ変色させたりする恐れもある。例えば、家具その他の備品が、子供にアクティビティセンターのマーカーやペイントブラシで色付けされる被害はしばしばあるし、多ピース式の子供用おもちゃでは長い間にはその幾つかをなくすこともある。
【発明の開示】
【発明が解決しようとする課題】
【０００３】
ケースが大型で嵩張り、ピースが多過ぎ、簡単に掃除できないと言う、従来の大抵のアクティビティセンターの問題を解消するアクティビティセンターを提供することである。
【課題を解決するための手段】
【０００４】
上側ハウジング部分と下側ハウジング部分とを有し、これら両ハウジング部分をその一方の縁部に沿ってヒンジを介してケース状に連結したアクティビティセンターが提供される。物書き用の描画面が上側ハウジング上部に係合され、この上側ハウジング部分の上面には凹部を設け、少なくとも１つの筆記具固定用ウェルも設けられる。アクティビティセンターは一般に、ピボット廻動自在に相互に連結した上部シェルと底部シェルとを含み、上部シェルは中央凹部と、描画用表面と、ウェルと、を有し、ウェルは上部シェルに形成されて筆記具をしまえるようになっており、全体が蓋で覆われる。上部シェルと底部シェルとは、テンプレート、紙片その他をしまえるような収納区画を構成する。
【発明の効果】
【０００５】
ケースが大型で嵩張り、ピースが多過ぎ、簡単に掃除できないと言う、従来の大抵のアクティビティセンターの問題を解消するアクティビティセンターが提供される。
【発明を実施するための最良の形態】
【０００６】
一般に、アクティビティセンターは、上側シェルと、この上側シェルとピボットを介して相互に連結した下側シェルとを有するケースを含む。上側シェルは、中央凹部と、描画表面と、ウェルとを有し、ウェルは上側部シェルに形成されて描画用具をしまえるようになっており、全体が蓋で覆われる。上側シェルと下側シェルとは、テンプレート、紙片その他を仕舞えるようにした保管画室を形成する。
図１には、アクティビティセンター１０の斜視図が示され、その各後縁部に沿って相互にヒンジを介して連結した、上側シェル１２と、下側シェル１４とを含んでいる。上側シェル１２は全体に平坦で、中央凹部１６とウェル１８とを有し、上側シェル１２と、下側シェル１４とは、ヒンジを介して連結した部分とは反対側の前壁部分２４、２６の外側表面からはフランジ２０、２２が全体に外側方向に伸延される。これらのフランジ２０、２２は隣り合う縁部２８、３０に沿って相補的な形状を有しており、上側シェル１２と下側シェル１４とを接近させると各フランジ２０、２２は実質上同一平面内に位置付けられ、各縁部２８、３０に沿って相互に隣り合う。フランジ２０、２２は、上側シェルと下側シェルとを分離して内側の収納用空間（図１には示さず）を露呈させるためのものである。ユーザーは、小銭入れを開けるのと同じように、フランジ２０、２２をそれぞれの手で持ち、収納用空間を露呈させるに十分な力で各フランジ２０、２２を反対方向に押す。
【０００７】
上側シェル１２と下側シェル１４とは何れも、その一方の側壁に沿って開口３２、３４を有し得、上側シェル１２と下側シェル１４とを接近させるとこれらの開口３２、３４が相互に整列してハンドル３６を形成する。ハンドル３６は、上側シェル１２と下側シェル１４とを閉じた状態でアクティビティセンター１０を運ぶ時に利用できる。
中央凹部１６は、関連するマークやロゴ等（indicia）を記載した紙片又はテンプレート等の物品３８を全体に寝かせた状態で受ける寸法形状を有し、描画面４０を、ヒンジを介して上側シェル１２の中央凹部１６とウェル１８との間に連結する。描画面４０は全体が透明であるが、中央凹部１６に置いた紙片又はテンプレート等の物品３８がこの描画面４０を通して見えるのであれば半透明又は着色できる。更には描画面４０は、全体を無色とするか又は、中央凹部１６上の紙片又はテンプレート等の物品３８の関連するマークやロゴが見える程度に透明な又は十分に半透明な色を着色することができる。
【０００８】
図２には全体を開放させたアクティビティセンター１０の斜視図が示される。下側シェル１４は全体がトレー状を有し、前壁４２と、後壁４４と、全体的に対向し且つ離間した側壁４６とを含み、底パネル４８をも有する。この底パネル４８からは、底部パネルから離れる方向で複数のフィンガー５０が上向きに突出する。これらのフィンガー５０は、上側シェル１２の前縁部５４に近接して形成したラッチ長孔５２に受けられる寸法形状を有するラッチをその遠位端位置に備える。各フィンガー５０とラッチ長孔５２とは協働して、ケース状のアクティビティセンターにおける釈放自在の錠止体を提供する。底パネル４８から離間する方向で、この底部パネルから全体に上方に伸びるフェンス５６が、保管領域６０内にテンプレートや紙類その他の物品３８をしまうための保持領域５８を形成する。フェンス５６はその１つ以上の側部に、保持領域５８から紙類又はテンプレートなどの物品３８をユーザーが簡単に取り出せるようにするためのギャップ部５５を有し得る。上側シェル１２及び下側シェル１４の剛性を高めるための種々のリブ６２その他の補強用の機能構造部分をこれらの各シェル１２、１４に追加することができる。
【０００９】
上側シェル１２の中央凹部１６は下側シェル１４の保持領域５８とほぼ同一の大きさを有し、中央凹部１６は、この中央凹部１６の取付け面６４に隣り合う位置で紙片又はテンプレートのような物品３８を受ける寸法形状を有する。描画面４０は、中央凹部１６を覆い、この中央凹部１６内の紙片又はテンプレートのような物品３８を固定する。描画面４０は中央凹部１６とウェル１８との間で上側シェル１２にヒンジを介して連結され、描画面４０の前縁部６８から伸延するタブ６６を含む。タブ６６は、把持面又は持ち上げ面を提供すると共に、描画面４０の上下動作を補助する。
【００１０】
取付け面６４は、上側シェル１２の前縁部５４方向に角度付けされ、従って紙片又はテンプレートのような物品３８が、そして結局、描画面４０がユーザー側に少し傾けられるので、描画面４０上でものを書いたり紙片又はテンプレートのような物品３８を見たりするのが楽である。また、描画面４０を閉じると上側シェル１２の側壁７０が描画面４０部分よりも高くなり、描画面４０の縁部位置を保護する物理的なバリヤーとなるので、描画面４０から筆記具をうっかり落として汚れを付けてしまう恐れが少なくなる。中央凹部１６内には複数の開口７２が配置される。各開口７２は下方に伸びる可撓性の、全体に細長の舌部７４を有する。舌部７４は下方に伸延し、上側シェル１２と下側シェル１４との間に形成される保存領域６０に入り込む。上側シェル１２は、描画面４０用のヒンジの一部を構成する２つの長孔７６を中央凹部１６とウェル１８との間に有する。
【００１１】
ウェル１８は筆記具をその内部にをしまえるようになっており、その内壁に沿って配置した複数のリブ７８が、マーカータイプのペンその他の筆記具の保持面を構成する。全体に細長いウェルカバー８０が、このウェルカバー８０をヒンジを介してケースに連結するための一方の端部に沿って一対のヒンジ延長部８１を有する。このウェルカバー８０は、ユーザーがウェル１８内における筆記具の有無を確認できるよう半透明又は透明のものとすることができる。所望であればウェルカバー８０を不透明のものとしても良いのは言うまでもない。ウェルカバー８０の底部からは、ウェル１８内に配置したリブ７８と同じように筆記具を取り外し自在に取り付けるための複数のリブ８２が伸延される。各リブ８２は、筆記具をその長手方向の両方向において受けるような形状とされる。また、上側シェル１２はその上側表面のウェル１８と後縁部８６との間に複数の長孔８４を有し、各長孔８４はウェルカバー８０のヒンジ延長部８１を受け且つ支持するような寸法形状を有する。各ヒンジ延長部８１は、弾発嵌合形式の構造によって各長孔８４内に取り外し自在に配置され、ウェルカバー８０がこの一体ヒンジ位置でウェル１８を実質的に覆い且つ固定する閉鎖位置に曲がれるようにする一体ヒンジとして作用する。ウェルカバー８０の前縁部９２からは、ウェルカバー８０を容易に開放位置に動かすためのタブ９０が全体に外側に向けて伸延される。
【００１２】
図３には図１を線３−３に沿って切断したアクティビティセンターの断面図が示され、撓んだ各舌部７４が、下側シェル１４の保持領域５８内の紙片又はテンプレートのような物品３８（鎖線で示す）を固定している。各舌部７４は、上側シェル１２に向けて撓むことで、厚みの違う１つ以上の紙片又はテンプレートのような物品３８を受ける。このように、舌部７４はケース内部に紙片又はテンプレートのような物品３８を固定して、それらの損傷や移動を防止する。図３から分かるように、アクティビティセンター１０は閉じた状態では全体にコンパクトな形状を有し、移送や保管が容易である。
以上、本発明を実施例を参照して説明したが、本発明の内で種々の変更を為し得ることを理解されたい。
【図面の簡単な説明】
【００１３】
【図１】本発明に従う構成を有するアクティビティセンターの斜視図である。
【図２】図１のアクティビティセンターの分解斜視図である。
【図３】図１を線３−３に沿って切断した部分断面斜視図である。
【符号の説明】
【００１４】
１０  アクティビティセンター
１２  上側シェル
１４  下側シェル
１６  中央凹部
１８  ウェル
２０、２２  フランジ
２４、２６  前壁部分
２８、３０  縁部
３６  ハンドル
３８  物品
４０  描画面
４２  前壁
４４  後壁
４６  側壁
４８  底パネル
５０  フィンガー
５２  ラッチ長孔
５４、６８、９２  前縁部
５５  ギャップ部
５６  フェンス
５８  保持領域
６０  保管領域
６２、７８  リブ
６６、９０  タブ
７０  側壁
７２  開口
７４  舌部
７６、８４  長孔
８０  ウェルカバー
８６  後縁部
【図１】
2009502550.tif 000003
【図２】
2009502550.tif 000004
【図３】
2009502550.tif 000005
【国際調査報告】
2009502550.tif 000006
2009502550.tif 000007
2009502550.tif 000008